(57)【要約】【課題】内部の菓子類などを消費し、空になった容器を、獅子などが口を開閉するような所作をして楽しむ玩具として再使用できるようにする。【解決手段】並行状態の一対の容器部１、２の開口部の端縁同士４が連結していると共に、連結部４がヒンジ機能を有していて、一対の容器部１、２が、連結部４を支点にして互いに開閉可能に構成されている。そして、片方の容器部１によって獅子の上顎側を表現し、他方の容器部２によって獅子の下顎側を表現してあると、空になった容器を再利用して、獅子舞の獅子が口を開閉するような所作をして楽しめる。【選択図】　　　　　図２
2004010136.tif 000002
【特許請求の範囲】
【請求項１】
並行状態の一対の容器部の開口部の端縁同士が連結していると共に、連結部がヒンジ機能を有していて、一対の容器部が、連結部を支点にして互いに開閉可能に構成されていることを特徴とする包装用容器。
【請求項２】
前記の両方の容器部が直方体状をしていて、開口は四角状をしており、両方の開口を単一の蓋手段で閉鎖可能な構造になっていることを特徴とする請求項１に記載の包装用容器。
【請求項３】
前記の開閉可能な一対の容器部によって、動物の口が開閉する形態を表現していることを特徴とする請求項１または請求項２に記載の包装用容器。
【請求項４】
前記の開閉可能な一対の容器部のうち、片方の容器部によって獅子の上顎側を表現し、他方の容器部によって獅子の下顎側を表現してなることを特徴とする請求項１、請求項２または請求項３に記載の包装用容器。
【発明の詳細な説明】
【０００１】
【産業上の利用分野】
本発明は、例えば菓子類などを入れて販売したりするのに適する包装用容器に関する。さらに詳しくは、内部の菓子類などを消費し、空になった容器を、動物が口を開閉するような所作をする玩具として再使用できる包装用容器に関する。
【０００２】
【従来の技術】
例えば実開平６−８１５９５号公報に記載のように、外形が動物などの姿態からなり、外部から内部の収納物が目視可能なように透明あるいは半透明な容器本体と蓋体とからなる蓋付き容器であって、該容器の所定箇所には着せ替え部材が着脱自在に装着されてなる玩具兼用容器が提案されている。
【０００３】
【発明が解決しようとする課題】
しかしながら、このような玩具兼用容器は、着せ替えをすることによって、玩具として楽しむものであって、女性にしか興味がなく、愛用者も限定される。その結果、その玩具兼用容器に収納されている収納物である商品の売れ行きも限定的となり、消費量も期待薄となる。
【０００４】ところが、動物の場合、必ず顔を有し、口を開閉するという基本的な動作を伴う。したがって、内部の収納品を消費して空になった容器を、動物の口の開閉動作に再度利用できると、面白みも増え、結果的にその容器に収納されている収納品である商品の需要も増え、販売促進につながる。
【０００５】例えば、沖縄を含む我が日本や中国などの東洋では、獅子舞が盛んであり、獅子が大きな口を開閉する所作が国民に愛され、めでたい行事などの際には必ず獅子舞が付き物である。したがって、菓子類などの容器として、前記のように口を開閉する所作が可能な容器に獅子の顔を表現して、獅子が口を開閉する所作をして遊べると、内部の菓子類を消費した後は、獅子が口を開閉するような玩具として再利用できるので、菓子類その他の製品の販売促進に最適である。
【０００６】本発明の技術的課題は、このような問題に着目し、菓子類などを入れる容器において、内部の収納品を消費して空になった容器を、動物が口を開閉する所作などに再利用可能とすることによって、内部の収納品の販売促進などに寄与することにある。
【０００７】
【課題を解決するための手段】
本発明の技術的課題は次のような手段によって解決される。請求項１は、並行状態の一対の容器部の開口部の端縁同士が連結していると共に、連結部がヒンジ機能を有していて、一対の容器部が、連結部を支点にして互いに開閉可能に構成されていることを特徴とする包装用容器である。
【０００８】このように、並行状態の一対の容器部の開口部の端縁同士が連結しているので、一対の容器部のそれぞれの容器部に菓子などの商品を入れて包装し、販売できる。しかも、一対の容器部の連結部がヒンジ機能を有していて、一対の容器部が、連結部を支点にして互いに開閉可能に構成されているので、内部の菓子類を消費した後の空いた容器を開閉操作したりして玩具などとして再利用できる。あるいは、置物や貴重品入れなどとしても再利用できる。
【０００９】請求項２は、請求項１に記載の両方の容器部が直方体状をしていて、開口は四角状をしており、両方の開口を単一の蓋手段で閉鎖可能な構造になっていることを特徴と包装用容器である。
【００１０】このように、前記の両方の容器部が直方体状をしていて、開口は四角状をしており、両方の開口を単一の蓋手段で閉鎖可能な構造になっているので、製造が容易であり、しかも単一の蓋手段で二つの容器部を一緒に開閉でき、取り扱い操作が簡便である。二つの容器部に蓋手段を被せることによって、販売時や使用しないときに、二つの容器部がコンパクトに安定した状態に維持される。
【００１１】請求項３は、請求項１または請求項２に記載の開閉可能な一対の容器部によって、動物の口が開閉する形態を表現していることを特徴とする包装用容器である。
【００１２】このように、前記の開閉可能な一対の容器部によって、動物の口が開閉する形態を表現しているので、内部の菓子などを消費して空いた容器に手を挿入して、一対の容器部を開閉操作することによって、動物が口を開閉する所作をして楽しむことができ、玩具としても最適である。
【００１３】請求項４は、請求項１、請求項２または請求項３に記載の開閉可能な一対の容器部のうち、片方の容器部によって獅子の上顎側を表現し、他方の容器部によって獅子の下顎側を表現してなることを特徴とする包装用容器である。
【００１４】このように、前記の開閉可能な一対の容器部のうち、片方の容器部によって獅子の上顎側を表現し、他方の容器部によって獅子の下顎側を表現してあるので、使用後の空いた容器部に手を挿入して、一対の容器部を開閉することによって、獅子舞で獅子が口を開閉するような所作をして楽しむことができる。
【００１５】
【発明の実施の形態】
次に本発明による包装用容器が実際上どのように具体化されるか実施形態を説明する。図１は本発明による包装用容器の外観を示す斜視図であり、二つの直方体状の容器部１、２と共通の箱状の蓋３とからなっている。
【００１６】箱状蓋３を外すと、図２のようになる。すなわち、二つの容器部１、２の内部は、直方体状の箱状の収納部１ｉ、２ｉとなり、底部１ｂ、２ｂを有していて、菓子類その他の商品を収納できるようになっている。このとき、それぞれの収納部１ｉ、２ｉには、同じ菓子類を入れても、別の種類の菓子類を入れてもよい。また、収納部１ｉ、２ｉに入れる商品は、菓子類に限られないことは言うまでもない。
【００１７】二つの容器部１と２とは、並行状態で連結されている。すなわち、容器部１の開口の端縁と容器部２の開口の端縁とが、連結部４において、互いに連結されている。したがって、二つの容器部１と２を別々に分離することはできない。
【００１８】そして、蓋３を裏返すと、図示のように、箱状の凹部を有しているので、この凹部中に一対の容器部１、２の開口部が入るように、蓋３を一対の容器部の開口部に被せると、二つの容器部の二つの開口を一緒に閉鎖できる。
【００１９】図２のように箱状蓋３を外した状態で、二つの容器部１、２を断面にすると、図３、図４のようになる。すなわち、図３のように、二つの容器部１と２とが、開口Ｐ１、Ｐ２の共通する縁部である連結部４で連結されているが、この連結部４は柔軟質でヒンジ機能を有しているので、図４のように、二つの容器部１と２とが、連結部４を支点にして互いに開閉できる。なお、図３における鎖線３は、二つの容器部１、２を矢印ａ２方向に閉じた状態で被せた箱状蓋である。
【００２０】このように、図示例では、二つの容器部１、２は直方体状をしている。その結果、図２のように、開口Ｐ１、Ｐ２も四角状をしており、両方の開口を閉鎖する蓋３も、四角い箱状をしている。したがって、単一の蓋手段３で両方の開口Ｐ１、Ｐ２を一緒に閉鎖できる。
【００２１】このような包装用容器において、二つの容器部１、２の内部の収納部１ｉ、２ｉ中に菓子類その他の商品を収納し、しかも二つの容器部１、２を矢印ａ２方向に閉じた状態で、箱状蓋３を被せると、図１、図３のようになる。こうして、箱状蓋３を被せた状態では、箱状蓋３に拘束されて、二つの容器部１、２が矢印ａ１方向に開くことはできず、並行状態すなわち閉じた状態となる。
【００２２】このように二つの容器部１、２中に商品を収納し、閉じた状態で箱状蓋３を被せて、展示したり販売するが、最終消費者の手に渡って、消費者が内部の商品を取り出し消費した後は、図２のように、内部は空になる。
【００２３】こうして空になると、箱状蓋３は排除した状態で、図５のように、それぞれの収納部１ｉ、２ｉ中に開口Ｐ１、Ｐ２から手を挿入すると、二つの容器部１、２を容易に矢印ａ１、ａ２方向に開閉操作できる。したがって、図示のように、一対の容器部１、２のうち、片方の容器部１に獅子の上顎側を表現し、他方の容器部Ｐ２に獅子の下顎側を図示したりして表現しておけば、一対の容器部１、２を開閉操作することによって、獅子舞で獅子が口を開閉する所作ができる。したがって、空いた包装用容器を玩具として再利用し、楽しむことができる。
【００２４】なお、獅子の髪を付けたい場合は、包装用容器中に同封してある前髪や頭髪、横髪を消費者が自分で箱状蓋３の該当箇所に貼り付けることができる。両耳片も同封してあるので、上側の容器部１の該当する切り目に耳片を差し込むだけでよい。
【００２５】図５では、容器部１、２で獅子の顔ないし頭部を表現しているが、獅子に限られず、例えば鳥類や爬虫類など、種々の動物の顔を表現しておけば、種々の動物が口を開閉する所作をして楽しんだりすることができる。したがって、本発明によれば、商品の包装用容器として使用した後の空の包装用容器を玩具として再利用できる。
【００２６】本発明の包装用容器は、図４のように、箱状蓋３を外した状態で、二つの容器部１、２を矢印ａ１方向に多少開いた状態で立てておけば、それぞれの収納部１ｉ、２ｉ中に棒状の物品を立てて置いたり、筆立てや箸立てなどとして再利用することもできる。
【００２７】沖縄では、シーサーと称して、獅子の形態をした魔除けが観光土産店などで販売されているが、図５のように、二つの容器部１、２でシーサーを表現しておけば、内部の商品を消費した後の空の包装用容器を図４のように開いた状態で立てておけば、沖縄の各種の棒状の物品を立てておいたり、生け花のようにして各種の植物などを差しておいたりもできる。
【００２８】図示の実施形態では、それぞれの容器部１、２は直方体状であるが、円筒を二つ割りにした形状なども可能である。この場合、蓋は円筒状になることは言うまでもない。また、二つの容器部１と２とは必ずしも同じサイズである必要はなく、上顎側１が大きく、下顎側２が小さい形状でもよい。なお、容器部１、２や箱状蓋３の材質は、厚紙が適しているが、合成樹脂板や木製板などでもよく、特に制限はない。
【００２９】二つの容器部１、２間の連結部４は、二つの容器部１と２とを柔軟な接着剤で接着して連結し、ヒンジ機能を持たせることもできるが、厚紙や合成樹脂板で製造する場合は、予め一体の板部を折り曲げて連結部４とすることもできる。
【００３０】図６は、１枚の厚紙ないし合成樹脂板で二つの容器部１、２を形成する製造方法であり、１、２は二つの容器部１、２となる部分であり、１ａ、２ａは開閉する口内となる部分で、１ａは上顎側、２ａは下顎側である。
【００３１】図６の厚紙ないし合成樹脂板は、予め１枚の板からなり、５は切り離すための切り目、６は直角に折り曲げるための折り目となる部分である。４は連結部となる部分であり、上顎側の容器部１と下顎側の容器部２とは、この連結部４のみで連結している。そして、各折り目６…で９０度に折り曲げ、糊代部分７は接着したりして二つの容器部１、２を形成した後、舌の部分２ａと上顎側１ａとが互いに対向するように、連結部４で３６０度折り返すと、完成である。
【００３２】
【発明の効果】
請求項１のように、並行状態の一対の容器部の開口部の端縁同士が連結しているので、一対の容器部のそれぞれの容器部に菓子などの商品を入れて包装し、販売できる。しかも、一対の容器部の連結部がヒンジ機能を有していて、一対の容器部が、連結部を支点にして互いに開閉可能に構成されているので、内部の菓子類を消費した後の空いた容器部を開閉操作したりして玩具として再利用できる。あるいは、置物や貴重品入れ、棒状の物品などを入れたりもできる。
【００３３】請求項２のように、前記の両方の容器部が直方体状をしていて、開口は四角状をしており、両方の開口を単一の蓋手段で閉鎖可能な構造になっているので、製造が容易であり、しかも単一の蓋手段で二つの容器部を一緒に開閉でき、取り扱い操作が簡便である。二つの容器部に蓋手段を被せることによって、販売時や使用しないときに、二つの容器部がコンパクトに安定した状態に維持される。
【００３４】請求項３のように、前記の開閉可能な一対の容器部によって、動物の口が開閉する形態を表現しているので、内部の菓子などを消費して空いた容器部に手を挿入して、一対の容器部を開閉操作することによって、動物が口を開閉する所作をして楽しむことができ、玩具としても最適である。
【００３５】請求項４のように、前記の開閉可能な一対の容器部のうち、片方の容器部によって獅子の上顎側を表現し、他方の容器部によって獅子の下顎側を表現してあるので、使用後の空いた容器部に手を挿入して、一対の容器部を開閉することによって、獅子舞で獅子が口を開閉するような所作をして楽しむことができる。特に、沖縄では、シーサーと称する魔除けの獅子が有るが、このシーサーを表現することによって、沖縄土産としての付加価値を高めることもできる。
【図面の簡単な説明】
【図１】本発明による包装用容器の斜視図である。
【図２】図１の包装用容器の箱状蓋を外した状態の斜視図である。
【図３】箱状蓋を外した状態における二つの容器部の断面図である。
【図４】二つの容器部を連結部を支点にして互いに開いた状態である。
【図５】二つの収納部に手を挿入して開閉可能にした状態の斜視図である。
【図６】１枚の厚紙ないし合成樹脂板で二つの容器部を形成する製造方法を説明するための展開図である。
【符号の説明】
１・２　容器部
１ｉ・２ｉ　収納部
３　箱状蓋
Ｐ１・Ｐ２　開口
４　連結部
５　切り目
６　折り目
７　糊代
【図１】
2004010136.tif 000003
【図２】
2004010136.tif 000004
【図３】
2004010136.tif 000005
【図４】
2004010136.tif 000006
【図５】
2004010136.tif 000007
【図６】
2004010136.tif 000008